(57)【特許請求の範囲】
【請求項１】
所定の情報を表示する表示画面を備えた電子機器の筐体近傍に配置され、入射する光の強度を検出する受光面を有する光センサであって、
前記受光面は、観察者が前記表示画面を見ると想定された角度範囲内の入射角で入射し、前記表示画面表面で前記角度範囲内に反射して前記表示画面のコントラストを低下させる光の強度を検出するように、前記入射角より大きい角度で入射する光が前記筐体により遮蔽されるように配置されていること
を特徴とする光センサ。
【請求項２】
請求項１記載の光センサにおいて、
前記受光面は、前記筐体表面より内側に配置されていること
を特徴とする光センサ。
【請求項３】
請求項１記載の光センサにおいて、
前記受光面は、前記入射角より大きい角度で入射する光が、前記受光面の周囲に形成された遮光壁により遮蔽されるように配置されていること
を特徴とする光センサ。
【請求項４】
請求項１乃至３のいずれか１項に記載の光センサにおいて、
前記入射角は入射方位により異なること
を特徴とする光センサ。
【請求項５】
請求項１乃至４のいずれか１項に記載の光センサにおいて、
前記受光面は可視光の強度を検出すること
を特徴とする光センサ。
【請求項６】
所定の情報を表示する表示画面と、前記表示画面を発光させる発光部とを備えた表示部と、前記表示画面に入射する光の強度を検出するセンサ部と、前記強度に基づいて前記発光部の輝度を制御する制御部とを有する表示装置であって、
前記センサ部は、請求項１乃至５のいずれか１項に記載の光センサを有していること
を特徴とする表示装置。
【請求項７】
請求項６記載の表示装置において、
前記表示部は、少なくとも一方が透明な２枚の基板と前記２枚の基板間に封入された液晶とからなる液晶表示パネルを有していること
を特徴とする表示装置。
【請求項８】
請求項６又は７に記載の表示装置において、
前記入射角は、前記表示部の視野角特性に基づいて決定されていること
を特徴とする表示装置。
【請求項９】
請求項８記載の表示装置において、
前記入射角は、最大視野角とほぼ同一であること
を特徴とする表示装置。
【請求項１０】
請求項６乃至９のいずれか１項に記載の表示装置において、
前記光センサは、前記表示画面近傍に配置されていること
を特徴とする表示装置。
【発明の詳細な説明】
【０００１】
【発明の属する技術分野】
本発明は、入射する光の強度を検出する光センサ及びそれを備えた表示装置に関する。
【０００２】
【従来の技術】
多くの携帯電話機、デジタルカメラ、携帯型テレビ等の電子機器は、所定の情報を表示する表示装置として液晶表示装置を備えている。液晶表示装置は、２枚の基板と両基板間に封入された液晶とで構成される液晶表示パネルを有している。例えば携帯電話機には、透過型や半透過型の液晶表示装置が用いられる。透過型の液晶表示装置は、液晶表示パネルをその裏面に配置されたバックライトで照明するようになっている。半透過型の液晶表示装置は、透過型と同様に液晶パネルをバックライトで照明して透過表示を行い、明るい場所では外光を利用して反射表示を行うようになっている。バックライトは、携帯電話機のボタンを操作すると所定時間点灯するようになっている。これにより、携帯電話機の液晶表示装置は、暗所でも見やすい表示画面が得られるようになっている。
【０００３】
ところが、バックライトは周囲の明るさに関わらず同じ発光輝度で点灯するため、周囲が暗い場所では必要以上に明るすぎることがある。特に、ウェブブラウザ機能等を有する携帯電話機では、断続的なボタン操作の結果、バックライトが長時間点灯し続けることになるため、不必要な電力を浪費することになってしまう。
【０００４】
一方、周囲が明るい場所では、外部からの入射光（可視光）が表示画面表面で反射して観察者の目に入る外光反射により、液晶表示装置の表示画面に表示される表示画像のコントラストが低下して見難くなってしまう。
【０００５】
図９は、従来の携帯電話機の構成を示している。図９に示すように、従来の携帯電話機１１２は、光の強度を検出する光センサ（受光素子）１０２を表示画面１１４近傍に有している。光センサ１０２は、表示画面１１４近傍に配置されることによって、表示画面１１４に入射する光の強度とほぼ同一の値を検出できるようになっている。携帯電話機１１２は、光センサ１０２で検出される室内の照明光や屋外光等の強度に基づいて、表示画像のコントラストが低下しないようにバックライトの発光輝度を制御するようになっている。すなわち、表示画面１１４近傍の光の強度が高いときにはバックライトの発光輝度を高くして、表示画面１１４近傍の光の強度が低いときにはバックライトの発光輝度を低くする。
【０００６】
図１０は、図９に示す携帯電話機１１２の光センサ１０２近傍での断面を示している。図１０に示すように、光センサ１０２は、所定の回路が形成されたプリント基板１０６に表面実装され、携帯電話機の筐体１０４の開口部１０８に配置されている。光センサ１０２は、図中上方の受光面１１０が筐体１０４表面とほぼ同一平面上に位置するように配置されている。
【０００７】
【発明が解決しようとする課題】
ところで、表示画像のコントラストを低下させる原因となるのは、表示画面１１４表面で反射して観察者の目に入る外光である。所定の入射角で入射する入射光は、散乱光を除けば当該入射角と同角度の反射角で反射する反射光となる。このため、例えば観察者が表示画面１１４の法線方向に表示画面１１４を見ている場合、表示画面１１４の法線方向に対して斜め方向にある光源から照射される光によって表示画像のコントラストが低下することはほとんどない。従来の光センサ１０２は、全方向からの入射光を検出するようになっているため、表示画像のコントラスト低下の原因とならない入射光も含めて検出していることになる。
【０００８】
表１は、光源から照射される光の強度を光センサ１０２が検出して出力する出力電流（μＡ）と、観察者が表示画面１１４をその法線方向に向かって見たとき、見易いと感じる最低限度の表示画面１１４の輝度（以下、「適正輝度」という）になるようにバックライトを発光させた際にバックライトに流れる駆動電流（ｍＡ）との関係を示している。表１は、表示画面１１４の法線方向に光源があるとき、すなわち表示画面１１４への光の入射角が０°の場合と、表示画面１１４の法線方向から５０°の方向に光源があるとき、すなわち表示画面１１４への光の入射角が５０°の場合とに分けて示している。なお、表示画面１１４の視野角は９０°（法線方向からそれぞれ４５°）であるものとする。
【０００９】
【表１】
0003840077.tif 000002
【００１０】
表１に示すように、光源が表示画面１１４の法線方向にあり、観察者が表示画面１１４をその法線方向に見る場合は、光センサ１０２の出力電流が０．１５μＡのとき、２０ｍＡの駆動電流でバックライトを発光させれば表示画面１１４が適正輝度になる。同様に、光センサ１０２の出力電流が０．４５μＡのときは４０ｍＡの駆動電流でバックライトを発光させ、光センサ１０２の出力電流が０．７５μＡのときは６０ｍＡの駆動電流でバックライトを発光させれば表示画面１１４が適正輝度になる。また、光センサ１０２の出力電流が１．５０μＡのときは７０ｍＡの駆動電流でバックライトを発光させれば表示画面１１４が適正輝度になる。
【００１１】
一方、光源が表示画面１１４の法線方向から５０°の方向にあり、観察者が表示画面１１４をその法線方向に見る場合は、光センサ１０２の出力電流が０．１５μＡのとき、表示画面１１４の法線方向に光源があるときより小さい１５ｍＡの駆動電流でバックライトを発光させれば表示画面１１４が適正輝度になる。同様に、光センサ１０２の出力電流が０．４５μＡのときは２０ｍＡの駆動電流でバックライトを発光させ、光センサ１０２の出力電流が０．７５μＡのときは２５ｍＡの駆動電流でバックライトを発光させれば表示画面１１４が適正輝度になる。また、光センサ１０２の出力電流が１．５０μＡのときは３０ｍＡの駆動電流でバックライトを発光させれば表示画面１１４が適正輝度になる。
【００１２】
これらは、光センサ１０２で検出される光の強度が同じであっても、表示画面１１４への光の入射方向が異なれば観察者による表示画面１１４の見え方（明るさの感じ方）が異なることを示している。
【００１３】
このため、従来の光センサ１０２で検出された光の強度に基づいてバックライトの発光輝度を制御すると、観察者は、光源の方向によって表示画面１１４を明るく感じたり暗く感じたり、またその表示画面１１４にちらつきを感じてしまうという問題が生じている。
【００１４】
本発明の目的は、省電力を実現しつつ、表示画面を観察者の見やすい輝度に制御するための光センサ及びそれを備えた表示装置を提供することにある。
【００１５】
【課題を解決するための手段】
上記目的は、所定の情報を表示する表示画面を備えた電子機器の筐体近傍に配置され、入射する光の強度を検出する受光面を有する光センサであって、前記受光面は、所定の入射角以下の角度で入射する光の強度を検出するように配置されていることを特徴とする光センサによって達成される。
【００１６】
上記本発明の光センサであって、前記受光面は、前記入射角より大きい角度で入射する光が前記筐体により遮蔽されるように配置されていることを特徴とする。また、上記本発明の光センサであって、前記受光面は、前記筐体表面より内側に配置されていることを特徴とする。さらに、上記本発明の光センサであって、前記受光面は、前記入射角より大きい角度で入射する光が、前記受光面の周囲に形成された遮光壁により遮蔽されるように配置されていることを特徴とする。
【００１７】
また、上記本発明の光センサであって、前記入射角は入射方位により異なることを特徴とする。さらに、上記本発明の光センサであって、前記受光面は可視光の強度を検出することを特徴とする。
【００１８】
また、上記目的は、所定の情報を表示する表示画面と、前記表示画面を発光させる発光部とを備えた表示部と、前記表示画面に入射する光の強度を検出するセンサ部と、前記強度に基づいて前記発光部の輝度を制御する制御部とを有する表示装置であって、前記センサ部は、請求項１乃至６のいずれか１項に記載の光センサを有していることを特徴とする表示装置によって達成される。
【００１９】
上記本発明の表示装置であって、前記表示部は、少なくとも一方が透明な２枚の基板と前記２枚の基板間に封入された液晶とからなる液晶表示パネルを有していることを特徴とする。
【００２０】
また、上記本発明の表示装置であって、前記入射角は、前記表示部の視野角特性に基づいて決定されていることを特徴とする。さらに、上記本発明の表示装置であって、前記入射角は、最大視野角とほぼ同一であることを特徴とする。また、上記本発明の表示装置であって、前記光センサは、前記表示画面近傍に配置されていることを特徴とする。
【００２１】
【発明の実施の形態】
本発明の一実施の形態による光センサ及びそれを備えた表示装置について図１乃至図６を用いて説明する。まず、本発明の基本原理について液晶表示装置を例に挙げて説明する。外部からの入射光により液晶表示装置の表示画面に表示される表示画像のコントラストが低下するのは、表示画面への入射光が主に表示画面表面で反射し、当該反射光（可視光）が観察者の目に入るためである。したがって、バックライトの発光輝度は、当該反射光の強度に基づいて制御されるようにすればよい。このため、観察者が表示画面を見る角度の範囲を想定し、当該角度の範囲内で表示画面に入射する光（特に可視光）だけが光センサで検出されるようにすればよい。
【００２２】
一方、液晶表示装置の液晶表示パネルは視野角特性を有しており、最大視野角より大きい角度からは、所定のコントラストの表示画像が得られない。したがって、所定のコントラストの表示画像が得られる最大視野角に基づいて所定の入射角を決定し、当該入射角以下の角度で入射する光の強度に基づいてバックライトの発光輝度を制御すれば、観察者の見やすい表示画面を有する表示装置を実現できることになる。
【００２３】
次に、本実施の形態による光センサ及びそれを備えた表示装置の構成について図１乃至図４を用いて説明する。図１は、本実施の形態による光センサ及びそれを備えた表示装置が携帯電話機に用いられた場合の構成を示す部分断面図である。図１に示すように、携帯電話機１の筐体４は、所定形状に開口された開口部８と透明な表示窓部１８とを有している。
【００２４】
携帯電話機１の表示装置として液晶表示装置３が用いられている。液晶表示装置３は、例えば半透過型の液晶表示パネル１２を有している。液晶表示パネル１２の表示画面４６は、筐体４の表示窓部１８近傍に配置されている。液晶表示パネル１２の裏面（図中下方）には、発光部のバックライト（バックライトユニット）１４が配置されている。図示は省略するが、バックライト１４は光を発する光源部と、光を液晶表示パネル１２全面に均一に拡散させる導光板とで構成されている。液晶表示パネル１２とバックライト１４とで表示部が構成される。バックライト１４は、バックライト１４の発光輝度を制御する制御部１６に接続されている。開口部８近傍には、センサ部の光センサ２が配置されている。光センサ２は、制御部１６に接続されている。
【００２５】
図２は、図１の領域Ａを拡大して示している。図２に示すように、液晶表示パネル１２は、マトリクス状に配置された画素毎に薄膜トランジスタ（ＴＦＴ）が形成されたＴＦＴ基板２０と、ＴＦＴ基板２０に対向して配置された対向基板２２とを有している。ＴＦＴ基板２０と対向基板２２との間には、液晶２４が封入されている。
【００２６】
ＴＦＴ基板２０は、ガラス基板２６の表面（図中上方）に、画素毎に形成された複数の透明な画素電極２８を有している。ガラス基板２６の裏面（図中下方）には、光を拡散させる拡散板３０と、所定の偏光軸を有する光を反射する反射偏光子３２と、光を一部吸収する吸収板３４とがこの順に形成されている。
【００２７】
対向基板２２は、ガラス基板２７の表面（図中下方）に、画素毎に形成された赤（Ｒ）、緑（Ｇ）、青（Ｂ）のカラーフィルタを有している。カラーフィルタＲ、Ｇ、Ｂ上には、透明な共通電極３６が形成されている。ガラス基板２７の裏面（図中上方）には偏光板３８が形成されている。なお、図２では、絶縁膜やバスライン、遮光膜等の図示は省略している。
【００２８】
反射表示を行う場合、液晶２４に電圧が印加されていないオフ状態では、液晶表示パネル１２の表面（図中上方）から入射した外光が反射偏光子３２で反射して拡散板３０で拡散し、表示は白になる。液晶２４に電圧が印加されたオン状態では、外光が反射偏光子３２を透過して吸収板３４で吸収され、表示は黒になる。
【００２９】
一方、透過表示を行う場合、液晶表示パネル１２の裏面（図中下方）のバックライト１４から入射して反射偏光子３２を透過した光が用いられる。反射偏光子３２を透過した光は、反射偏光子３２で反射した光に対して偏光方向が直交している。そのため、オフ状態では表示が黒になり、オン状態では表示が白になる。したがって、バックライト１４の点灯と同期させてデータ信号を変換することにより所望の表示が得られるようになる。
【００３０】
図３は、図１に示す光センサ２を矢印Ｂの方向に見た配置を示している。図４は、図３のＤ−Ｄ線で切断した光センサ２近傍の断面を示しているとともに、図１の領域Ｃを拡大して示している。図３及び図４に示すように、筐体４は、直径Ｄ１（例えば２ｍｍ）の円形状等の開口部８を有している。開口部８の直下には、例えば一辺の長さＬ１（例えば２ｍｍ）の正方形状の受光面１０を有する光センサ２が配置されている。受光面１０は、可視光を感度よく検出できる例えばアモルファスシリコン（ａ−Ｓｉ）により形成されており、表面が液晶表示パネル１２表面とほぼ平行になっている。光センサ２は、所定の回路が形成されたプリント基板６に表面実装されている。
【００３１】
光センサ２は、受光面１０が筐体４表面より長さＬ２（例えば２ｍｍ）だけ内側（図中下方）に位置するように配置され、筐体４の開口部８を介して受光面１０に入射する光の強度を検出するようになっている。
【００３２】
次に、本実施の形態による光センサの動作について図１乃至図４を参照しつつ説明する。ここで、液晶表示装置３の最大視野角は、例えば全方位について９０°（法線方向から４５°）であるものとする。図４に示すように、図中左方から受光面１０に入射する光の最大の入射角は入射角Ａ１である。入射角Ａ１は、Ｄ１＝Ｌ１＝Ｌ２であれば４５°になる。入射角Ａ１より大きい入射角度で入射する光は、筐体４により遮蔽されて受光面１０には入射しない。同様に、図中右方から受光面１０に入射する光の最大の入射角は、入射角Ａ１と同一の入射角Ａ２（４５°）である。入射角Ａ２より大きい入射角度で入射する光は、筐体４により遮蔽されて受光面１０には入射しない。ここで、入射角Ａ１やＡ２より大きい入射角度で入射する光が開口部８に面する筐体４の内壁面４４で反射して受光面１０に入射することを防ぐため、内壁面４４を低反射材料で形成するか、あるいは内壁面４４に光の反射を防ぐような表面処理等を施すことが望ましい。本実施の形態では、入射角Ａ１やＡ２は液晶表示装置３の法線方向からの最大視野角とほぼ同一にしているが、異なるようにしてももちろんよい。また、光センサ２は、入射角Ａ１やＡ２がそれぞれ異なるように、開口部８直下からずらして配置されてもよい。
【００３３】
受光面１０に光が入射すると、光センサ２は光の強度に応じた電流を制御部１６に出力する。光センサ２の出力電流が入力された制御部１６は、当該出力電流に基づいてバックライト１４に流れる駆動電流を決定し、バックライト１４の発光輝度を制御する。
【００３４】
表２は表１に対応しており、光センサ２の出力電流（μＡ）と、観察者が表示画面をその法線方向に見たとき、表示画面が適正輝度になるようにバックライト１４を発光させた際にバックライト１４に流れる駆動電流（ｍＡ）との関係を示している。表２では、表１と同様に、光源が液晶表示パネル１２表面の法線方向にあるとき、すなわち液晶表示パネル１２への光の入射角が０°の場合と、光源が液晶表示パネル１２表面の法線方向から５０°の方向にあるとき、すなわち液晶表示パネル１２への光の入射角が５０°の場合とに分けて示している。
【００３５】
【表２】
0003840077.tif 000003
【００３６】
表２に示すように、光源が液晶表示パネル１２の法線方向にあるときと、光源が液晶表示パネル１２の法線方向から５０°の方向にあるときとは、光センサ２の出力電流が０．１５μＡの際に、共に２０ｍＡの駆動電流でバックライト１４を発光させれば表示画面が適正輝度になる。同様に、光センサ２の出力電流が０．４５μＡのときは共に４０ｍＡの駆動電流でバックライト１４を発光させ、光センサ２の出力電流が０．７５μＡのときは共に６０ｍＡの駆動電流でバックライト１４を発光させれば表示画面が適正輝度になる。また、光センサ２の出力電流が１．５０μＡのときは共に７０ｍＡの駆動電流でバックライト１４を発光させれば表示画面が適正輝度になる。なお、表２では示していないが、光センサ２の出力電流が増加するとともに、表示画面が適正輝度になるように発光するバックライト１４に流れる駆動電流は増加する。また、光センサ２の出力電流が例えば１０００μＡ以上のときは、半透過型の液晶表示装置３が反射表示するのに十分な明るさが得られているためバックライト１４を消灯させるようになっている。
【００３７】
表２に示すように、本実施の形態による光センサ２が用いられると、表１に示すような従来の光センサ１０２が用いられたときと異なり、表示画面を適正輝度にした際にバックライト１４に流れる駆動電流は、光源の方向（光の入射角）が変化しても変化しない。したがって、光センサ２の出力電流に基づいてバックライト１４に流れる駆動電流を決定することにより、表示画面は常に適正輝度になる。
【００３８】
以上説明したように、本実施の形態では、入射角Ａ１やＡ２より大きい角度で入射する光は、筐体４により遮蔽されて受光面１０には入射しないようになっている。このため、光センサ２で検出された光の強度に基づいてバックライト１４の発光輝度を制御すれば、液晶表示パネル１２の表示画面が観察者にとって常に見やすい輝度になる。
【００３９】
図５は、本実施の形態による光センサ及びそれを備えた表示装置の構成の第１の変形例を示す断面図である。図５に示すように、筐体４は、所定の入射角より大きい角度で受光面１０に入射する光を遮蔽する遮光壁４０を受光面１０の周囲に有している。本変形例によっても、上記実施の形態と同様の効果を奏することができる。
【００４０】
図６は、本実施の形態による光センサ及びそれを備えた表示装置の構成の第２の変型例を示しており、図４に対応する断面図である。図６に示すように、光センサ２は、受光面１０が筐体４表面より長さＬ２’（＞Ｌ２）だけ内側に位置するように配置されている。受光面１０上には導光部４２が配置されており、導光部４２に入射した光を受光面１０へ導くようになっている。導光部４２の上面は筐体４表面から長さＬ２だけ内側に配置され、導光部４２の下面は受光面１０の直上に配置されている。導光部４２はプラスチック等からなり、例えば円柱形状に形成されている。図６において導光部４２がないと仮定すると、長さＬ２’がＬ２より長いので、受光面１０に入射する光の最大入射角は図４に示した入射角Ａ１やＡ２より小さくなる。しかし、本変形例のように導光部４２を設けることにより、最大入射角を入射角Ａ１やＡ２とほぼ同一にすることができる。このため、本変形例によっても上記実施の形態と同様の効果を奏することができる。
また、光センサ２の受光面１０は、筐体４の開口部８の直下に配置されていなくてもよい。導光部４２の上面に入射した光を受光面１０へ導くように導光部４２を例えば曲げて配置することにより、開口部８から受光面１０に入射光を導光できるため、上記実施の形態と同様の効果を奏することができる。
【００４１】
図７は、本実施の形態による光センサ及びそれを備えた表示装置の構成の第３の変形例を示しており、図３に対応する図である。図８は図７のＥ−Ｅ線で切断した断面図であり、図４に対応する図である。図７及び図８に示すように、本変形例では、入射する光の最大入射角を入射角Ａ１やＡ２より小さくするために、幅Ｄ２（＜Ｄ１）の正方形状の開口部８’が複数形成されている。開口部８’は、例えば３行×３列のマトリクス状に配置されている。
最大入射角を入射角Ａ１やＡ２より小さくするには、開口部８よりも幅が狭く開口面積の狭い開口部８’を一つ形成すればよい。しかし、開口面積を狭くすると受光面１０に入射する入射光の光量が減少するため光センサ２の感度が低下し、光センサ２からの出力信号のＳ／Ｎ比が低下してしまう。本変形例によれば、複数の開口部８’を形成することにより、入射光の光量を確保しつつ最大入射角を小さくすることができる。
さらに、複数の開口部８’を比較的広範囲に配置すれば、光センサ１０が筐体４表面に平行な方向にずれて配置されても、受光面１０はほぼ同一の光量の入射光を受光することができる。このため、光センサ１０を配置する際の筐体４表面に平行な方向の位置決め誤差を大きく許容できるようになる。
【００４２】
本発明は、上記実施の形態に限らず種々の変形が可能である。
例えば、上記実施の形態では、表示装置としてアクティブマトリクス型の液晶表示装置３が用いられているが、本発明はこれに限られない。単純マトリクス型の液晶表示装置や、有機ＥＬ（ＥｌｅｃｔｒｏＬｕｍｉｎｅｓｃｅｎｃｅ）素子や無機ＥＬ素子、ＣＲＴ（Ｃａｔｈｏｄｅ−Ｒａｙ  Ｔｕｂｅ）等が表示装置として用いられてもよい。
【００４３】
また、上記実施の形態では、液晶表示装置３は液晶表示パネル１２を裏面から照射するバックライト１４を有しているが、本発明はこれに限らず、液晶表示パネル１２を表面から照射するフロントライトを有していてもよい。
【００４４】
【発明の効果】
以上の通り、本発明によれば、表示装置の省電力を実現しつつ、表示画面を観察者の見やすい輝度に制御することができる。
【図面の簡単な説明】
【図１】本発明の一実施の形態による光センサ及びそれを備えた表示装置の構成を示す断面図である。
【図２】本発明の一実施の形態による表示装置の構成を示す断面図である。
【図３】本発明の一実施の形態による光センサの配置を示す図である。
【図４】本発明の一実施の形態による光センサの配置を示す断面図である。
【図５】本発明の一実施の形態による光センサ及びそれを備えた表示装置の構成の第１の変形例を示す断面図である。
【図６】本発明の一実施の形態による光センサ及びそれを備えた表示装置の構成の第２の変形例を示す断面図である。
【図７】本発明の一実施の形態による光センサ及びそれを備えた表示装置の構成の第３の変形例を示す図である。
【図８】本発明の一実施の形態による光センサ及びそれを備えた表示装置の構成の第３の変形例を示す断面図である。
【図９】従来の携帯電話機の構成を示す図である。
【図１０】従来の光センサの配置を示す断面図である。
【符号の説明】
１  携帯電話機
２  光センサ
３  液晶表示装置
４  筐体
６  プリント基板
８、８’  開口部
１０  受光面
１２  液晶表示パネル
１４  バックライト
１６  制御部
１８  表示窓部
２０  ＴＦＴ基板
２２  対向基板
２４  液晶
２６、２７  ガラス基板
２８  画素電極
３０  拡散板
３２  反射偏光子
３４  吸収板
３６  共通電極
３８  偏光板
４０  遮光壁
４２  導光部
４４  内壁面
４６  表示画面
【図１】
0003840077.tif 000004
【図２】
0003840077.tif 000005
【図３】
0003840077.tif 000006
【図４】
0003840077.tif 000007
【図５】
0003840077.tif 000008
【図６】
0003840077.tif 000009
【図７】
0003840077.tif 000010
【図８】
0003840077.tif 000011
【図９】
0003840077.tif 000012
【図１０】
0003840077.tif 000013